(57)【要約】【課題】メインフレームの振動を抑制するためのサブフレームの軽量化を図る。【解決手段】ベースフレーム１１の一対の側板１１ｂ，１１ｃとメインフレーム１２の一対の側板１２ｂ，１２ｃとに形成した各弾性部材支持孔Ｈに各第１弾性部材１４を嵌め込み、且つ、各第１弾性部材１４の中心孔１４ａ内に各シャフトＳの一端部が挿入されて各シャフトＳがベースフレーム１１の一対の側板１１ｂ，１１ｃ及びメインフレーム１２の一対の側板１２ｂ，１２ｃに対してそれぞれ横設されることで、メインフレーム１２がベースフレーム１１に弾性支持され、更に、サブフレーム１３の一対の側板１３ｂ，１３ｃに形成した各弾性部材支持孔Ｈに各第２弾性部材１５を嵌め込み、且つ、各第２弾性部材１５の中心孔１５ａ内に各シャフトＳの他端部が挿入されてサブフレーム１３が弾性支持されている。【選択図】図１
2007157218.tif 000002
【特許請求の範囲】
【請求項１】
平坦な基板部を有するベースフレームと、
平坦な基板部と、該基板部に取り付けられ、装着されたディスクに対して記録又は再生するためのピックアップを含むトラバース機構部と、を有するメインフレームと、
平坦な基板部を有するサブフレームと、
前記ベースフレームに対して前記メインフレームと前記サブフレームとを弾性的に支持する支持手段と、を備え、
前記支持手段は、前記メインフレームと前記サブフレームとを、
各フレームの各前記基板部を互いに対向させると共に、前記メインフレームと前記サブフレームとを支持する各支持点が、前記ベースフレームへの支持点を挟んで各前記基板部に沿う方向に配列するように支持する構成にしたことを特徴とするディスクドライブ装置。
【請求項２】
基板部と、この基板部の両側に互いに対向して曲げ形成された一対の側板とを少なくとも有したベースフレームと、
基板部と、この基板部の両側に前記ベースフレームの一対の側板間の間隔よりも狭い間隔で互いに対向して曲げ形成された一対の側板とを少なくとも有し、且つ、装着されたディスクに対して記録又は再生するためのピックアップを含むトラバース機構部が前記基板部に取り付けられたメインフレームと、
基板部と、この基板部の両側に前記ベースフレームの一対の側板間の間隔よりも広い間隔で互いに対向して曲げ形成された一対の側板とを少なくとも有し、且つ、前記メインフレームに生じた振動を吸収するサブフレームと、
前記ベースフレームの一対の側板の内側に前記メインフレームの一対の側板を間隔を離して対向配置させて両フレームの各一対の側板同士を複数箇所弾性的に支持すると共に、各中心孔を貫通して穿設した複数の第１弾性部材と、
前記複数の第１弾性部材の各中心孔内に各一端部が挿入された状態で前記ベースフレームの一対の側板及び前記メインフレームの一対の側板に対してそれぞれ複数箇所横設され、且つ、各他端部が前記ベースフレームの一対の側板の外側に延出された複数のシャフトと、
前記ベースフレームの一対の側板の外側に前記サブフレームの一対の側板を間隔を離して対向配置させると共に、前記複数のシャフトの各他端部に各中心孔が嵌め込まれて前記サブフレームの一対の側板を複数箇所弾性的に支持する複数の第２弾性部材と、
を備えたことを特徴とするディスクドライブ装置。
【請求項３】
前記サブフレームの一方（又は他方）の側板と前記ベースフレームの一方（又は他方）の側板との間の間隔を、前記ベースフレームの一方（又は他方）の側板と前記メインフレームの一方（又は他方）の側板との間の間隔よりも長く設定したことを特徴とする請求項２記載のディスクドライブ装置。
【発明の詳細な説明】
【技術分野】
【０００１】
本発明は、光ディスクや光磁気ディスクとか磁気ディスクなどのディスクに対して情報信号を記録及び／又は再生する際に、ディスクを回転駆動するスピンドルモータの回転により生じる振動を抑制するように構成したディスクドライブ装置に関するものである。
【背景技術】
【０００２】
一般的に、光ディスクや光磁気ディスクとか磁気ディスクなどのディスクは、音楽情報，映像情報，あるいはその他のデータなどを大容量に記録及び／又は再生でき、且つ、所望の情報を高速にアクセスできることから多用されているが、ディスクに対して情報信号を記録及び／又は再生する際に、ディスクを回転駆動するスピンドルモータの回転により生じる振動を抑制するように構成したディスクの駆動装置が開示されている（例えば、特許文献１参照）。
【特許文献１】特開２００４−６０１４号公報（第４−５頁、図１−図３）
【０００３】
図７（ａ），（ｂ）は従来のディスクの駆動装置を示した上面図、縦断面図、
図８は従来のディスクの駆動装置において、振動モデルを説明するための図である。
【０００４】
図７（ａ），（ｂ）に示した如く、従来のディスクの駆動装置１００は、上記した特許文献１（特開２００４−６０１４号公報）に開示されているものであり、ここでは特許文献１を参照して簡略に説明する。
【０００５】
図７（ａ），（ｂ）に示した如く、従来のディスクの駆動装置１００では、ベースフレーム１０１内の底板１０１ａ上にメインフレーム１０２がゴム材や樹脂材を用いて形成した第１弾性部材１０３により外周に沿って少なくとも３箇所弾性的に支持されている。
【０００６】
このメインフレーム１０２には、光ディスクＤを搭載するためのターンテーブル１０４をモータ軸に固着して光ディスクＤを回転駆動するスピンドルモータ１０５と、一対のガイドレール１０６，１０６に案内されて光ディスクＤの半径方向に移動自在な光ピックアップ１０７とが取り付けられている。
【０００７】
更に、メインフレーム１０２への振動吸収器として機能するサブフレーム１０８が、メインフレーム１０２よりも上方で且つターンテーブル１０４のディスク載置面１０４ａよりも下方に配設されており、このサブフレーム１０８はメインフレーム１０２に対してゴム材や樹脂材を用いて形成した第２弾性部材１０９により外周に沿って少なくとも３箇所弾性的に支持されている。この際、サブフレーム１０８をメインフレーム１０２上でスピンドルモータ１０５の右方に配置することで、サブフレーム１０８の重心をスピンドルモータ１０５の回転軸上に設定している。
【０００８】
上記に伴って、メインフレーム１０２は第１弾性部材１０３の作用により外部振動に対してその影響を受けにくい構造を維持し、また、スピンドルモータ１０５が回転した時に光ディスクＤのアンバランス等によりメインフレーム１０２に生じる振動はサブフレーム１０８と第２弾性部材１０９とによる振動吸収作用により抑制されることで、光ディスクＤに対して記録又は再生が良好に行えるようになっている。
【０００９】
ここで、図８は、従来のディスクの駆動装置１００における振動モデルを示しており、この振動モデルでは、先に図７を用いて説明したように偏重心を持つ光ディスクＤがターンテーブル１０４上に搭載されてスピンドルモータ１０５により高速に回転した時に、光ディスクＤの偏重心によりメインフレーム１０２が振動すると、メインフレーム１０２上で第２弾性部材１０９により弾性的に支持されたサブフレーム１０８はメインフレーム１０２に対して逆位相となって振動するため、メインフレーム１０２の振動を効果的に抑制することが可能である。また、ベースフレーム１０１とメインフレーム１０２との間は第１弾性部材１０３により弾性的に支持されているため、外部振動に対しても充分な制振効果を得ることができる旨が開示されている。
【発明の開示】
【発明が解決しようとする課題】
【００１０】
ところで、上記した従来のディスクの駆動装置１００によれば、ベースフレーム１０１とメインフレーム１０２との間を第１弾性部材１０３により弾性的に支持し、且つ、メインフレーム１０２とサブフレーム１０８との間を第２弾性部材１０９により弾性的に支持することで、サブフレーム１０８をメインフレーム１０２の振動に対して振動吸振器として作用させることができるものの、下記の問題点が生じている。
【００１１】
即ち、サブフレーム１０８は、前述したように、メインフレーム１０２よりも上方で且つターンテーブル１０４のディスク載置面１０４ａよりも下方に配設されており、この際、図７（ｂ）に示したようにメインフレーム１０２から光ディスクＤまでの高さをＨ１と設定し、且つ、メインフレーム１０２からサブフレーム１０８までの高さをＨ２と設定すると共に、光ディスクＤの偏重心により光ディスクＤの面方向に発生した力をＦ１とし、サブフレーム１０８でこの力を打ち消すのに必要な力をＦ２とすると、下記の式１の関係が成り立つ。
【００１２】
［数１］
Ｆ２／Ｆ１＝Ｈ１／Ｈ２          ………式１
【００１３】
従って、上記した式１により、Ｈ２がＨ１に対して小さいと、Ｆ２は大きい値になる。この力Ｆ２に対する振動をサブフレーム１０８で抑える場合を考えると、Ｆ２の大きな力に対してサブフレーム１０８の質量は重くしなければ振動を抑制できないので問題である。
【００１４】
そこで、ベースフレームとメインフレームとの間で第１弾性部材により外部振動を吸収し、且つ、メインフレームとサブフレームとの間で第２弾性部材によりメインフレームの振動をサブフレームで吸収する際に、サブフレームの質量を軽くしてもメインフレームの振動を効果的に抑制できるディスクドライブ装置が望まれている。
【課題を解決するための手段】
【００１５】
本発明は上記課題に鑑みてなされたものであり、請求項１記載の発明は、平坦な基板部を有するベースフレームと、
平坦な基板部と、該基板部に取り付けられ、装着されたディスクに対して記録又は再生するためのピックアップを含むトラバース機構部と、を有するメインフレームと、
平坦な基板部を有するサブフレームと、
前記ベースフレームに対して前記メインフレームと前記サブフレームとを弾性的に支持する支持手段と、を備え、
前記支持手段は、前記メインフレームと前記サブフレームとを、
各フレームの各前記基板部を互いに対向させると共に、前記メインフレームと前記サブフレームとを支持する各支持点が、前記ベースフレームへの支持点を挟んで各前記基板部に沿う方向に配列するように支持する構成にしたことを特徴とするディスクドライブ装置である。
【００１６】
また、請求項２記載の発明は、基板部と、この基板部の両側に互いに対向して曲げ形成された一対の側板とを少なくとも有したベースフレームと、
基板部と、この基板部の両側に前記ベースフレームの一対の側板間の間隔よりも狭い間隔で互いに対向して曲げ形成された一対の側板とを少なくとも有し、且つ、装着されたディスクに対して記録又は再生するためのピックアップを含むトラバース機構部が前記基板部に取り付けられたメインフレームと、
基板部と、この基板部の両側に前記ベースフレームの一対の側板間の間隔よりも広い間隔で互いに対向して曲げ形成された一対の側板とを少なくとも有し、且つ、前記メインフレームに生じた振動を吸収するサブフレームと、
前記ベースフレームの一対の側板の内側に前記メインフレームの一対の側板を間隔を離して対向配置させて両フレームの各一対の側板同士を複数箇所弾性的に支持すると共に、各中心孔を貫通して穿設した複数の第１弾性部材と、
前記複数の第１弾性部材の各中心孔内に各一端部が挿入された状態で前記ベースフレームの一対の側板及び前記メインフレームの一対の側板に対してそれぞれ複数箇所横設され、且つ、各他端部が前記ベースフレームの一対の側板の外側に延出された複数のシャフトと、
前記ベースフレームの一対の側板の外側に前記サブフレームの一対の側板を間隔を離して対向配置させると共に、前記複数のシャフトの各他端部に各中心孔が嵌め込まれて前記サブフレームの一対の側板を複数箇所弾性的に支持する複数の第２弾性部材と、
を備えたことを特徴とするディスクドライブ装置である。
【００１７】
更に、請求項３記載の発明は、前記サブフレームの一方（又は他方）の側板と前記ベースフレームの一方（又は他方）の側板との間の間隔を、前記ベースフレームの一方（又は他方）の側板と前記メインフレームの一方（又は他方）の側板との間の間隔よりも長く設定したことを特徴とする請求項２記載のディスクドライブ装置である。
【発明の効果】
【００１８】
請求項１記載のディスクドライブ装置によると、ベースフレームに対してメインフレームとサブフレームとを弾性的に支持する支持手段は、各フレームの各基板部を互いに対向させると共に、メインフレームとサブフレームとを支持する各支持点が、ベースフレームへの支持点を挟んで各基板部に沿う方向に配列するようにしているので、この結果、メインフレームに発生した振動をサブフレームで効果的に抑制することができる。
【００１９】
また、請求項２記載のディスクドライブ装置によると、ベースフレームの一対の側板とメインフレームの一対の側板とを複数の第１弾性部材により複数箇所弾性的に支持し、且つ、メインフレームの一対の側板とサブフレームの一対の側板とを複数のシャフトを介して複数の第２弾性部材により複数箇所弾性的に支持することにより、この結果、メインフレームに発生した振動をサブフレームで効果的に抑制することができる。
【００２０】
更に、請求項３記載のディスクドライブ装置によると、サブフレームの一方（又は他方）の側板とベースフレームの一方（又は他方）の側板との間の間隔を、ベースフレームの一方（又は他方）の側板とメインフレームの一方（又は他方）の側板との間の間隔よりも長く設定したため、この結果、サブフレームの質量により発生する制振力は、ベースフレームの一対の側板を回動支点として揺動する各シャフトの一端部に働くメインフレームの力と他端部に働くサブフレームの力とによる梃子の作用により増幅されてメインフレームに作用し、且つ、サブフレームの質量はディスクの偏重心により発生する力に比べて小さい質量で制振効果を得ることが可能となるので、ディスクドライブ装置の小型、軽量化を図ることが可能である。
【００２１】
また、ディスクドライブ装置を例えば光ディスク用として構成した場合には、上記した梃子の作用がメインフレームの上下方向と、光ピックアップを案内する一対のガイドレールに対して略平行な方向とに働くようにしているため、光ピックアップ内の対物レンズに対してフォーカス方向とトラッキング方向の振動を効果的に抑制することができ、フォーカスサーボ及びトラッキングサーボを安定的にかけることが可能となる。
【発明を実施するための最良の形態】
【００２２】
以下に本発明に係るディスクドライブ装置の一実施例について図１〜図６を参照して、詳細に説明する。
【実施例】
【００２３】
図１は本発明の実施例に係るディスクドライブ装置の全体を示した斜視図、
図２は本発明の実施例に係るディスクドライブ装置を分解して示した分解斜視図、
図３（ａ），（ｂ）は本発明の実施例に係るディスクドライブ装置において、図１及び図２に示した第１，第２弾性部材をそれぞれ拡大して示した断面図、
図４は本発明の実施例に係るディスクドライブ装置において、第１弾性部材を第１段付きシャフトを介してベースフレームの前側板とメインフレームの前側板とに嵌め込み、且つ、第２弾性部材を第１段付きシャフトにネジ結合した第２段付きシャフトを介してサブフレームの前側板に嵌め込んだ状態を拡大して示した縦断面図、
図５は本発明の実施例に係るディスクドライブ装置において、第１，第２弾性部材による弾性支持動作を説明するために示した上面図、
図６は本発明の実施例に係るディスクドライブ装置において、第１，第２弾性部材による弾性支持動作を説明するために示した側断面図である。
【００２４】
図１及び図２に示した如く、本発明の実施例に係るディスクドライブ装置１０では、基台となるベースフレーム１１と、光ディスク，光磁気ディスク，磁気ディスクなどのディスクを回転駆動しながらこのディスクに対して記録又は再生するためのピックアップを含むトラバース機構部２０を取り付けたメインフレーム１２と、ディスク回転時にメインフレーム１２に対して振動吸収器として機能するサブフレーム１３とが、板金板を用いてそれぞれ一体的に折り曲げ形成されている。
【００２５】
まず、上記したベースフレーム１１は、外形が矩形状で平坦な基板部１１ａと、この基板部１１ａの両側に互いに対向して上方に向かって曲げ形成した一対の側板１１ｂ，１１ｃとを少なくとも有しており、以下、一対の側板１１ｂ，１１ｃの一方を前側板１１ｂと呼称し、他方を後側板１１ｃと呼称する。
【００２６】
また、ベースフレーム１１のうちで前側板１１ｂの左右には、弾性部材支持孔Ｈをそれぞれ形成した左右一対の弾性部材支持片１１ｂ１，１１ｂ２が上方に向かって突出形成され、且つ、後側板１１ｃの左右にも、弾性部材支持孔Ｈをそれぞれ形成した左右一対の弾性部材支持片１１ｃ１，１１ｃ２が前側板１１ｂ側と対向して上方に向かって突出形成されているので、ベースフレーム１１の一対の側板１１ｂ，１１ｃには弾性部材支持孔Ｈが間隔を離して互いに対向してそれぞれ２個づつ形成されていることになる。
【００２７】
この際、ベースフレーム１１の前側板１１ｂ及び後側板１１ｃは、左右一対の弾性部材支持片１１ｂ１，１１ｂ２間及び左右一対の弾性部材支持片１１ｃ１，１１ｃ２間が共に低い高さで形成されており、これらの低い高さの区間に後述するサブフレーム１３の基板部１３ａが上方から挿入可能になっている。
【００２８】
次に、上記したメインフレーム１２は、前後方向の外形寸法がベースフレーム１１よりも一回り小さく設定されて矩形状で平坦な基板部１２ａと、この基板部１２ａの両側にベースフレーム１１の一対の側板１１ｂ，１１ｃ間の間隔よりも狭い間隔で互いに対向して下方に向かって曲げ形成された一対の側板１２ｂ，１２ｃとを少なくとも有しており、以下、一対の側板１２ｂ，１２ｃの一方を前側板１２ｂと呼称し、他方を後側板１２ｃと呼称する。
【００２９】
また、メインフレーム１２のうちで前側板１２ｂの左右には、弾性部材支持孔Ｈをそれぞれ形成した左右一対の弾性部材支持片１２ｂ１，１２ｂ２が下方に向かって突出形成され、且つ、後側板１２ｃの左右にも、弾性部材支持孔Ｈをそれぞれ形成した左右一対の弾性部材支持片１２ｃ１，１２ｃ２が前側板１２ｂ側と対向して下方に向かって突出形成されているので、メインフレーム１２の一対の側板１２ｂ，１２ｃには弾性部材支持孔Ｈがベースフレーム１１側に位置合わせしてそれぞれ２個づつ形成されていることになる。
【００３０】
次に、上記したサブフレーム１３は、前後方向の外形寸法がベースフレーム１１よりも一回り大きく設定され、且つ、左右方向の外形寸法がベースフレーム１１の前側板１１ｂに形成した左右一対の弾性部材支持片１１ｂ１，１１ｂ２間及びベースフレーム１１の後側板１１ｃに形成した左右一対の弾性部材支持片１１ｃ１，１１ｃ２間に挿入可能に幅狭く設定されて矩形状で平坦な基板部１３ａと、この基板部１３ａの両側にベースフレーム１１の一対の側板１１ｂ，１１ｃ間の間隔よりも広い間隔で互いに対向して上方に向かって低い高さ寸法で曲げ形成された一対の側板１３ｂ，１３ｃとを少なくとも有しており、以下、一対の側板１３ｂ，１３ｃの一方を前側板１３ｂと呼称し、他方を後側板１３ｃと呼称する。
【００３１】
また、サブフレーム１３のうちで前側板１３ｂの左右に弾性部材支持孔Ｈがそれぞれ形成され、且つ、後側板１３ｃの左右にも弾性部材支持孔Ｈがそれぞれ形成されているので、サブフレーム１３の一対の側板１３ｂ，１３ｃには弾性部材支持孔Ｈがベースフレーム１１側及びメインフレーム１２側に位置合わせしてそれぞれ２個づつ形成されていることになる。
【００３２】
この際、ベースフレーム１１の一対の側板１１ｂ，１１ｃと、メインフレーム１２の一対の側板１２ｂ，１２ｃと、サブフレーム１３の一対の側板１３ｂ，１３ｃとにそれぞれ合計で４個づつ形成した各弾性部材支持孔Ｈは、第１弾性部材１４又は第２弾性部材１５を挿入するための切り欠きと、この切り欠きに連接して第１弾性部材１４又は第２弾性部材１５を嵌め込むための丸孔とが貫通して穿設されている。また、各弾性部材支持孔Ｈの切り欠きは、ベースフレーム１１側及びサブフレーム１３側が共に上向きに切り欠かれ、メインフレーム１２側が下向きに切り欠かれている。
【００３３】
尚、この実施例では、ベースフレーム１１，メインフレーム１２，サブフレーム１３にそれぞれ合計４個づつ弾性部材支持孔Ｈを形成したが、弾性部材支持孔Ｈの数は各側面に位置合わせしてそれぞれ複数個づつ形成すれば良いものである。
【００３４】
そして、ベースフレーム１１の一対の側板１１ｂ，１１ｃの内側にメインフレーム１２の一対の側板１２ｂ，１２ｃが間隔を離して対向配置され、更に、ベースフレーム１１の一対の側板１１ｂ，１１ｃの外側にサブフレーム１３の一対の側板１３ｂ，１３ｃが間隔を離して対向配置されている。
【００３５】
ここで、上記したメインフレーム１２の基板部１２ａには、光ディスクＤ（図５，図６）を回転駆動しながらこの光ディスクＤに対して記録又は再生するための光ピックアップ２６を含むトラバース機構部２０が取り付けられている。
【００３６】
上記したトラバース機構部２０では、光ディスクＤを搭載するためのターンテーブル２１をモータ軸に固着して光ディスクＤを回転駆動するスピンドルモータ２２と、一対のガイドレール２３，２４に案内されてフィードモータ２５の駆動力により光ディスクＤの半径方向に移動自在に設けられ且つ光ディスクＤに対して記録又は再生するための光ピックアップ２６とが取り付けられている。
【００３７】
この際、メインフレーム１２の基板部１２ａ内には、光ディスクＤの下面側に配設した光ピックアップ２６を臨ませるための逃げ孔１２ａ１が貫通して形成されており、この逃げ孔１２ａ１の前後に沿って光ピックアップ２６を左右に案内する一対のガイドレール２３，２４が前側板１２ｂ及び後側板１１ｃと略平行に設けられていると共に、逃げ孔１２ａ１の前方部位に光ピックアップ２６と連結したフィードモータ２５が取り付けられている。
【００３８】
尚、光ディスクＤに代えて光磁気ディスク（図示せず）をターンテーブル２１上に搭載した場合には、光ピックアップ２６及び磁気ヘッド（図示せず）を光磁気ディスクの半径方向に移動自在に設ければ良い。
【００３９】
また、光ディスクＤに代えて磁気ディスク（図示せず）をターンテーブル２１上に搭載した場合には、光ピックアップ２６に代えて磁気ヘッド（図示せず）を磁気ディスクの半径方向に移動自在に設ければ良い。
【００４０】
ここで、本発明の要部を構成する第１，第２弾性部材１４，１５と、ベースフレーム１１上にメインフレーム１２，サブフレーム１３を第１，第２弾性部材１４，１５により弾性的に支持する構造とについて述べる。
【００４１】
まず、図３（ａ）に示した第１弾性部材１４は、ベースフレーム１１の一対の側板１１ｂ，１１ｃにメインフレーム１２の一対の側板１２ｂ，１２ｃを弾性支持するためのものであり、振動に対して減衰特性を有するゴム材又は樹脂材を用いて略円筒形状に成形加工により一体的に形成されている。
【００４２】
上記した第１弾性部材１４は、略円筒形状の内部中心部位に中心孔１４ａが貫通して形成され、且つ、略円筒形状の外周に第１フランジ部１４ｂと、第１環状溝部１４ｃと、第２フランジ部１４ｄと、第２環状溝部１４ｅと、第３フランジ部１４ｆとが順に形成されており、中心孔１４ａに第１段付きシャフト１６の小径部１６ａが嵌め込まれ、且つ、第１環状溝部１４ｃがメインフレーム１２の前側板１２ｂ及び後側板１２ｃの各左右に形成した各弾性部材支持孔Ｈに嵌め込まれ、且つ、第２環状溝部１４ｅがベースフレーム１１の前側板１１ｂ及び後側板１１ｃの各左右に形成した各弾性部材支持孔Ｈに嵌め込まれるようになっている。
【００４３】
次に、図３（ｂ）に示した第２弾性部材１５は、第１段付きシャフト１６の大径部１６ｂにネジ連結した第２段付きシャフト１７を介してメインフレーム１２の一対の側板１２ｂ，１２ｃに対してサブフレーム１３の一対の側板１３ｂ，１３ｃを弾性支持するためのものであり、振動に対して減衰特性を有するゴム材又は樹脂材を用いて略円筒形状に成形加工により一体的に形成されている。
【００４４】
上記した第２弾性部材１５は、略円筒形状の内部中心部位に中心孔１５ａが貫通して形成され、且つ、略円筒形状の外周に第１フランジ部１５ｂと、環状溝部１５ｃと、第２フランジ部１５ｄとが順に形成されており、中心孔１５ａに第２段付きシャフト１７の小径部１７ａが嵌め込まれ、且つ、環状溝部１５ｃにサブフレーム１３の前側板１３ｂ及び後側板１３ｃの各左右に形成した各弾性部材支持孔Ｈに嵌め込まれるようになっている。
【００４５】
そして、ベースフレーム１１上にメインフレーム１２，サブフレーム１３を第１，第２弾性部材１４，１５により弾性的に支持する場合には、図１及び図２に示した如く、ベースフレーム１１の上方に振動吸収器として機能するサブフレーム１３をベースフレーム１１に対して前後の向きを同じくして略平行に配置し、且つ、サブフレーム１３の上方にメインフレーム１２をベースフレーム１１に対して前後の向きを同じくして略平行に配置している。
【００４６】
また、図４に拡大して示した如く、ベースフレーム１１，メインフレーム１２，サブフレーム１３にそれぞれ４箇所形成した各弾性部材支持孔Ｈのうちで、各前側板１１ｂ，１２ｂ，１３ｂ側の各１箇所の弾性部材支持孔Ｈに対して述べると、メインフレーム１２の前側板１２ｂよりも外側にベースフレーム１１の前側板１１ｂが間隔を離して対向配置された状態で、ベースフレーム１１の前側板１１ｂ及びメインフレーム１２の前側板１２ｂに形成した各弾性部材支持孔Ｈに第１弾性部材１４を嵌め込み、且つ、第１弾性部材１４の中心孔１４ａ内に第１段付きシャフト１６の小径部１６ａを挿入してこの第１段付きシャフト１６をベースフレーム１１の前側板１１ｂ及びメインフレーム１２の前側板１２ｂに対して横設することで、メインフレーム１２がベースフレーム１１に弾性支持される。この際、第１段付きシャフト１６の小径部１６ａの先端にワッシャ１８をネジ１９で固定することで、第１段付きシャフト１６が第１弾性部材１４から抜けないようになっている。
【００４７】
また、ベースフレーム１１の前側板１１ｂよりも外側にサブフレーム１３の前側板１３ｂが間隔を離して対向配置された状態で、サブフレーム１３の前側板１３ｂに形成した弾性部材支持孔Ｈに第２弾性部材１５を嵌め込んで、この第２弾性部材１５の中心孔１５ａ内に第２段付きシャフト１７の小径部１７ａを挿入し、更に、第２段付きシャフト１７の小径部１７ａより先端に形成したネジ部１７ｃを第１段付きシャフト１６の大径部１６ｂの中心に形成したネジ孔１６ｃに螺合させることで、第１，第２段付きシャフト１６，１７が一体となったシャフトＳにサブフレーム１３が弾性支持されている。尚、第２段付きシャフト１７のフランジ部１７ｂには、ドライバでこの第２段付きシャフト１７を回転させる溝が形成されている。
【００４８】
この際、第１，第２段付きシャフト１６，１７が一体となったシャフトＳは、ベースフレーム１１，メインフレーム１２，サブフレーム１３の各側面に対して略直交して支持されており、一端部側がベースフレーム１１とメインフレーム１２とに嵌め込まれた第１弾性部材１４の中心孔１４ａ内に挿入され、且つ、他端部側がベースフレーム１１の前側板１１ｂの外側に延出されてサブフレーム１３に嵌め込まれた第２弾性部材１５の中心孔１５ａ内に挿入されることになる。
【００４９】
上記により、ベースフレーム１１の一対の側板１１ｂ，１１ｃの内側にメインフレーム１２の一対の側板１２ｂ，１２ｃを間隔を離して対向配置させて両フレーム１１，１２の各一対の側板（１１ｂ，１１ｃ），（１２ｂ，１２ｃ）同士を複数の第１弾性部材１４により複数箇所弾性的に支持し、且つ、ベースフレーム１１の一対の側板１１ｂ，１１ｃの外側にサブフレーム１３の一対の側板１３ｂ，１３ｃを間隔を離して対向配置させると共に、複数の第１弾性部材１４の各中心孔１４ａに各一端部が嵌め込まれ且つベースフレーム１１の一対の側板１１ｂ，１１ｃの外側に延出された複数のシャフトＳの各他端部に各中心孔１５ａが嵌め込まれた複数の第２弾性部材１５によりサブフレーム１３の一対の側板１３ｂ，１３ｃを複数箇所弾性的に支持することになる。従って、メインフレーム１２の一対の側板１２ｂ，１２ｃに対してサブフレーム１３の一対の側板１３ｂ，１３ｃは複数のシャフトＳを介して複数の第２弾性部材１５により複数箇所弾性的に支持される。
【００５０】
上記の構造を言い換えると、ベースフレーム１１に対してメインフレーム１２とサブフレーム１３とを弾性的に支持する支持手段は、各フレーム１１，１２，１３の各基板部１１ａ，１２ａ，１３ａを互いに対向させた状態で、メインフレーム１２とサブフレーム１３とを支持する各支持点が、ベースフレーム１１への支持点を挟んで各基板部１１ａ，１２ａ，１３ａに沿う方向に配列されていることになる。
【００５１】
また、ベースフレーム１１の前側板１１ｂとシャフトＳの中心軸とが交差する部位が回動支点Ｐとなり、この回動支点Ｐを中心に第１，第２弾性部材１４，１５の各中心孔１４ａ，１５ａ内に挿入したシャフトＳが矢印方向に示した上下及び／又は不図示の左右方向（紙面に垂直な方向）に揺動自在になっている。
【００５２】
更に、メインフレーム１２の前側板１２ｂの板厚中心とベースフレーム１１の前側板１１ｂの板厚中心との間の間隔をＬ１とし、且つ、ベースフレーム１１の前側板１１ｂの板厚中心とサブフレーム１３の前側板１３ｂの板厚中心との間の間隔をＬ２とした時に、Ｌ１＜Ｌ２に設定している。これを言い換えると、サブフレーム１３の一方（又は他方）の側板１３ｂ（又は１３ｃ）とベースフレーム１１の一方（又は他方）の側板１１ｂ（又は１１ｃ）との間の間隔を、ベースフレーム１１の一方（又は他方）の側板１１ｂ（又は１１ｃ）とメインフレーム１２の一方（又は他方）の側板１２ｂ（又は１２ｃ）との間の間隔よりも長く設定している。
【００５３】
ここで、メインフレーム１２に働く力をＦ３とし、サブフレーム１３に働く力をＦ４とすると、梃子の原理により下記の式２が成り立つ。
【００５４】
［数２］
Ｆ４／Ｆ３＝Ｌ１／Ｌ２          ………式２
【００５５】
上記した式２より、Ｌ２がＬ１に対して大きいと、Ｆ４は小さい値になり、この力に相当するサブフレーム１３の質量は軽くて良いことがわかる。
【００５６】
これにより、サブフレーム１３の質量により発生する制振力は梃子の原理により増幅されてメインフレーム１２に作用するため、サブフレーム１３の質量は光ディスクＤ（図５，図６）の偏重心や面ブレにより発生する力に比べて小さい質量で制振効果を得ることが可能となる。
【００５７】
次に、上記のように構成した本発明の実施例に係るディスクドライブ装置１０において、第１，第２弾性部材による弾性支持動作について、図５及び図６を用いて説明する。
【００５８】
図５及び図６に示した状態は、ベースフレーム１１の一対の側板１１ｂ，１１ｃとメインフレーム１２の一対の側板１２ｂ，１２ｃとに形成した各弾性部材支持孔Ｈ（図１，図２，図４）に各第１弾性部材１４を嵌め込み、且つ、各第１弾性部材１４の中心孔１４ａ（図４）内に各シャフトＳの一端部が挿入されて各シャフトＳがベースフレーム１１の一対の側板１１ｂ，１１ｃ及びメインフレーム１２の一対の側板１２ｂ，１２ｃに対してそれぞれ横設されることで、メインフレーム１２がベースフレーム１１に弾性支持され、更に、サブフレーム１３の一対の側板１３ｂ，１３ｃに形成した各弾性部材支持孔Ｈ（図１，図２，図４）に各第２弾性部材１５を嵌め込み、且つ、各第２弾性部材１５の中心孔１５ａ（図４）内に各シャフトＳの他端部が挿入されてサブフレーム１３が弾性支持されている。
【００５９】
ここで、図５に示した如く、光ディスクＤが高速に回転して、メインフレーム１２が光ディスクＤの偏重心や面ブレにより、光ピックアップ２６を案内する一対のガイドレール２３，２４に対して略平行な方向となる図示左右方向に振動した場合、第１，第２段付きシャフト１６，１７が一体となったシャフトＳは、ベースフレーム１１の前側板１１ｂ及び後側板１１ｃの各回動支点Ｐを中心にして揺動振動を起こし、共振周波数を越えない時にはメインフレーム１２とサブフレーム１３とが点線矢印で示したように互いに逆位相で振動することになる。
【００６０】
一方、共振周波数を超えた高い周波数になると、サブフレーム１３に嵌め込んだ第２弾性部材１５が弾性変位し、この時に第１，第２段付きシャフト１６，１７が一体となったシャフトＳは位相を反転させる機能を備えているために、メインフレーム１２とサブフレーム１３とが直線の実線矢印で示したように同位相となって振動するので、サブルーム１３によりメインフレーム１２の振動を抑制することができる。
【００６１】
この時、メインフレーム１２及びサブフレーム１３に働く各力は直線の実線矢印で示した右方向（又は左方向）に向かって作用し、前記した式２と同様な式が成立するために前記した梃子の作用によりサブフレーム１３の質量は軽量で良く、メインフレーム１２と、この上に取り付けられた光ピックアップ２６とに対してサブフレーム１３により振動を抑制されるので、光ピックアップ２６内に設けた不図示の対物レンズに対して図示左右方向と同じ方向であるトラッキング方向の振動を効果的に抑制することができ、トラッキングサーボを安定的にかけることが可能となる。
【００６２】
また、図６に示した如く、光ディスクＤが高速に回転して、メインフレーム１２が光ディスクＤの偏重心や面ブレにより、光ピックアップ２６に対して図示上下方向に振動した場合、前記と同様に、第１，第２段付きシャフト１６，１７が一体となったシャフトＳは、ベースフレーム１１の前側板１１ｂ及び後側板１１ｃの各回動支点Ｐを中心にして揺動振動を起こし、共振周波数を越えない時にはメインフレーム１２とサブフレーム１３とが点線矢印で示したように互いに逆位相で振動することになる。
【００６３】
一方、共振周波数を超えた高い周波数になると、サブフレーム１３に嵌め込んだ第２弾性部材１５が弾性変位し、この時に第１，第２段付きシャフト１６，１７が一体となったシャフトＳは位相を反転させる機能を備えているために、メインフレーム１２とサブフレーム１３とが直線の実線矢印で示したように同位相となって振動するので、サブルーム１３によりメインフレーム１２の振動を抑制することができる。
【００６４】
この時、メインフレーム１２及びサブフレーム１３に働く各力は直線の実線矢印で示した上方向（又は下方向）に向かって作用し、前記した式２が成立するために前記した梃子の作用によりサブフレーム１３の質量は軽量で良く、メインフレーム１２と、この上に取り付けられた光ピックアップ２６とに対してサブフレーム１３により振動を抑制されるので、光ピックアップ２６内に設けた不図示の対物レンズに対して図示時上下方向と同じ方向であるフォーカス方向の振動を効果的に抑制することができ、フォーカスサーボを安定的にかけることが可能となる。
【００６５】
このように、実施例では従来例に比べ、質量の軽いサブフレーム１３でメインフレーム１２上に取り付けた光ピックアップ２６内に設けた不図示の対物レンズに対してフォーカス方向とトラッキング方向の各振動を効果的に抑制することができ、ディスクドライブ装置１０の小型、軽量化を行うことが可能である。
【００６６】
尚、実施例では、ベースフレーム１１とメインフレーム１２との間にサブフレーム１３を配置したが、各側板側を第１，第２弾性部材１４，１５とシャフトＳとで前記した式２の関係を保って弾性支持させているために、サブフレームをメインフレーム１２の上方に配置しても従来例とは第１，第２弾性部材による弾性支持方向が異なるために従来例のような問題点は生じない。そこで、図示を省略するものの、サブフレームの基板部（図示せず）の両側からベースフレームの一対の側板間の間隔よりも広い間隔で互いに対向して下方に向かって一対の側板を曲げ形成して、このサブフレーム１３をメインフレーム１２の上方に配置して、ベースフレームの一対の側板とサブフレームの一対の側板とを間隔を離して対向させても、実施例と同様な効果が得られる。
【図面の簡単な説明】
【００６７】
【図１】本発明の実施例に係るディスクドライブ装置の全体を示した斜視図である。
【図２】本発明の実施例に係るディスクドライブ装置を分解して示した分解斜視図である。
【図３】（ａ），（ｂ）は本発明の実施例に係るディスクドライブ装置において、図１及び図２に示した第１，第２弾性部材をそれぞれ拡大して示した断面図である。
【図４】本発明の実施例に係るディスクドライブ装置において、第１弾性部材を第１段付きシャフトを介してベースフレームの前側板とメインフレームの前側板とに嵌め込み、且つ、第２弾性部材を第１段付きシャフトにネジ結合した第２段付きシャフトを介してサブフレームの前側板に嵌め込んだ状態を拡大して示した縦断面図である。
【図５】本発明の実施例に係るディスクドライブ装置において、第１，第２弾性部材による弾性支持動作を説明するために示した上面図である。
【図６】本発明の実施例に係るディスクドライブ装置において、第１，第２弾性部材による弾性支持動作を説明するために示した側断面図である。
【図７】（ａ），（ｂ）は従来のディスクの駆動装置を示した上面図、縦断面図である。
【図８】従来のディスクの駆動装置において、振動モデルを説明するための図である。
【符号の説明】
【００６８】
１０…ディスクドライブ装置、
１１…ベースフレーム、１１ａ…基板部、
１１ｂ…前側板、１１ｂ１，１１ｂ２…一対の弾性部材支持片、
１１ｃ…後側板、１１ｃ１，１１ｃ２…一対の弾性部材支持片、
１２…メインフレーム、１２ａ…基板部、１２ａ１…逃げ孔、
１２ｂ…前側板、１２ｂ１，１２ｂ２…一対の弾性部材支持片、
１２ｃ…後側板、１２ｃ１，１２ｃ２…一対の弾性部材支持片、
１３…サブフレーム、１３ａ…基板部、１３ｂ…前側板、１３ｃ…後側板、
１４…第１弾性部材、１４ａ…中心孔、１４ｂ…第１フランジ部、
１４ｃ…第１環状溝部、１４ｄ…第２フランジ部、１４ｅ…第１環状溝部、
１４ｆ…第３フランジ部、
１５…第２弾性部材、１５ａ…中心孔、１５ｂ…第１フランジ部、
１５ｃ…環状溝部、１５ｄ…第２フランジ部、
１６…第１段付きシャフト、１６ａ…小径部、１６ｂ…大径部、１６ｃ…ネジ孔、
１７…第２段付きシャフト、１７ａ…小径部、１７ｂ…大径部、１７ｃ…ネジ部、
１８…ワッシャ、１９…ネジ、
２０…トラバース機構部、
２１…ターンテーブル、２２…スピンドルモータ、
２３，２４…一対のガイドレール、２５…フィードモータ、
２６…光ピックアップ、
Ｄ…光ディスク、Ｈ…弾性部材支持孔、
Ｌ１…ベースフレームの一方（又は他方）の側板とメインフレームの一方（又は他方）の側板との間の間隔、
Ｌ２…サブフレームの一方（又は他方）の側板とベースレームの一方（又は他方）の側板との間の間隔、
Ｐ…回動支点、Ｓ…シャフト。
【図１】
2007157218.tif 000003
【図２】
2007157218.tif 000004
【図３】
2007157218.tif 000005
【図４】
2007157218.tif 000006
【図５】
2007157218.tif 000007
【図６】
2007157218.tif 000008
【図７】
2007157218.tif 000009
【図８】
2007157218.tif 000010